(57)【特許請求の範囲】
【請求項１】
閉弁によりガスの供給を遮断する電磁弁を、手動操作又は電気的駆動力によって強制的に開弁させ、これを電源を備えた通電制御回路によって吸着開弁保持させるテーブルこんろであって、
前記通電制御回路に、振動を検知してＯＦＦ作動する感震スイッチを接続すると共に、温度上昇により設定温度で電気抵抗値が急増するＰＴＣサーミスタを直列に接続し、
前記電磁弁を、１つの本体内に夫々単独で励磁可能な２つの電磁石を併設し、その双方の電磁石が励磁される場合のみ１つの弁体が吸着開弁保持されるものとして、その電磁弁の一方の電磁石を、バーナ近傍に配置される熱電対に接続し、他方の電磁石を、前記通電制御回路に接続したことを特徴とするテーブルこんろ。
【発明の詳細な説明】
【０００１】
【産業上の利用分野】
本発明はテーブルこんろにおいて、より安全性を向上させる技術思想を開示するものである。
【０００２】
【従来の技術】
テーブルこんろには、バーナ近傍に設置された熱電対と、ガス供給路に設けられ、閉弁によりガスの供給を遮断する電磁弁とで熱電対回路を構成して、点火時に強制的に開弁させた電磁弁を、バーナの炎を感知した熱電対の熱起電力で吸着開弁保持させ、バーナの立ち消え時には、熱起電力の低下によって電磁弁を閉弁させる安全装置が備えられている。更にここに、鍋底温度検知用で、設定温度で電気抵抗値が急増するＰＴＣサーミスタ等を組み合わせて、鍋底温度上昇時にはＰＴＣサーミスタの電気抵抗値急増により、電磁弁への通電量を減少させて電磁弁を閉弁させる構成が採用されることもある。
【０００３】
【発明が解決しようとする課題】
このように従来のテーブルこんろに採用される安全装置は、炎の立ち消えや鍋底の過熱時の対応を目的として構成されるもので、これ以外の安全機能、例えば地震或は他の外的要因により、テーブルこんろ上に物が落下したり、或はテーブルこんろ自体が落下や転倒したりした場合までの対処はできない。よってこの時にバーナが燃焼中であると、炎が他に引火して火災を引き起こす虞れも生じる。そこで上記熱電対回路に、振動を検知してＯＦＦ作動する感震スイッチ等を採用することが考えられるが、この場合、スイッチの接点抵抗の増加により、耐久性が低下したり、回路の通電に影響を与えて電磁弁に安定した電源供給がされなくなったりしてしまう。
【０００４】
【課題を解決するための手段】
そこで本発明は、耐久性や安定性に影響なく、上記地震等が生じた場合でも、直ちに消火或は点火不能な状態にさせて安全を確保できるテーブルこんろを提供するもので、その構成は、電源によって前記電磁弁を吸着開弁保持させる通電制御回路に、振動を検知してＯＦＦ作動する感震スイッチを接続すると共に、温度上昇により設定温度で電気抵抗値が急増するＰＴＣサーミスタを直列に接続し、前記電磁弁を、１つの本体内に夫々単独で励磁可能な２つの電磁石を併設し、双方の電磁石が励磁される場合のみ１つの弁体が吸着開弁保持されるものとし、その電磁弁の一方の電磁石を、バーナ近傍に配置される熱電対に、他方の電磁石を、前記通電制御回路に夫々接続したことを特徴とするものである。
【０００５】
【作用】
地震や物の落下等によりテーブルこんろへ振動が加えられると、感震スイッチが振動を検知してＯＦＦ作動するから、電磁弁を吸着開弁保持させる通電制御回路での通電が停止され、バーナの燃焼中でも直ちに電磁弁が閉弁してガスの供給が遮断されて、消火がなされる。特に電源を備えた回路への採用であるから、スイッチの接触抵抗の影響が少なく、耐久性や安定性も好適となる。
又電磁弁が上記１本体２電磁石型であっても、地震等では前記と同様に通電制御回路での通電が停止して他方の電磁石への励磁が解かれるから、この場合も電磁弁が閉弁して消火がなされるが、特にここではこの改良電磁弁により、上記接触抵抗の問題が生じないのに加え、振動検知と、前記一方の電磁石と熱電対との接続による立ち消え検知との複数の安全機能が簡単に構成できることになる。
更にこれらの通電制御回路に前記ＰＴＣサーミスタも接続しているので、上記振動や立ち消え検知に加えて、鍋底温度の検知機能も簡単に付与できることになる。
【０００６】
【実施例】
以下本発明の実施例を図面に基づいて説明する。
図１はテーブルこんろにおける安全装置の回路図で、後に詳述するようにここでのマグネット電磁弁１は、２つのコイル１３，１９を備え、双方のコイルに電流が流れたときのみ吸着開弁保持される弁体を備えた１本体２電磁石型のもので、一方のコイル１３は、バーナヘッド近傍に配置される熱電対２と直列接続されて熱電対回路３を構成すると共に、他方のコイル１９（小電流型）は、鍋底に配置され、設定温度（ここでは２５０℃）に達すると電気抵抗値が急増するＰＴＣサーミスタ６を備えた通電制御回路４に接続されている。この通電制御回路４には、電源としての乾電池５に、前記ＰＴＣサーミスタ６、点火スイッチのＯＮ操作と連動するスイッチ７、そしてコイル１９が夫々直列に接続されると共に、更にここには、振動を検知した際にＯＦＦ作動する感震スイッチ８が接続されている。この感震スイッチ８は、水銀スイッチや、或は両電極と接触状態で配置されたボール形の接点を有し、振動によりそのボールが両電極から離脱して通電を遮断し、リセットによって離脱したボール接点が復帰するボール入スイッチ等周知のものが採用される。尚感震スイッチ８を熱電対回路３へ接続すると、前記ボール入スイッチではボール接点の接触抵抗が回路の通電に影響を与えたり、耐久性を低下させたりすることがあるため、ここでは高抵抗側の通電制御回路４へ接続したものである。
次にここで使用されるマグネット電磁弁１の構造を説明する。図２において、筒状のケーシング１０の一方の端部には、鍔部１２を周設した基体１１が嵌着され、基体１１のケーシング１０側には、前記熱電対回路３のコイル１３を巻回したＵ字形の固定鉄心１４の基端部が嵌入固定されて、第一電磁石１５を構成している。一方ケーシング１０の他方の端部は閉塞部１６となっており、この閉塞部１６には、同じくＵ字形の可動鉄心１７が遊貫する透孔１８，１８が穿設され、その透孔１８，１８の周囲には、前記コイル１３より巻数を多くし、前記通電制御回路４における小電流型のコイル１９が埋め込まれて、第二電磁石２０を構成している。又前記固定鉄心１４と可動鉄心１７との間には、リング状の可動片２１がフリーの状態で配置され、該可動片２１は、その中央の透孔２１ａへ、前記閉塞部１６からケーシング１０の軸心と一致させて固定鉄心１４側へ延設したガイド部１６ａが貫通することで、その軸方向の摺動を案内されている。更に前記可動鉄心１７は、ケーシング１０と連結されたハウジング２２内で弁軸２３の基端部と連結されており、弁軸２３の先端部は、ハウジング２２を貫通してその外部で弁体２４を一体に備えると共に、弁体２４とハウジング２２間に設けられた圧縮スプリング２５によって先端部側へ付勢されている。尚２６ａ，２６ｂは夫々コイル１３，１９へ接続される端子金具である。
【０００７】
このように構成された安全装置においては、点火スイッチのＯＮ操作によってマグネット電磁弁１の弁体２４が強制的に押し込まれると、可動鉄心１７、可動片２１が固定鉄心１４側へ後退して当接する。このとき通電制御回路４のスイッチ７が閉じ、コイル１９へ電流が流れて、第二電磁石２０が励磁されると共に、点火後の熱電対２の熱起電力上昇により、コイル１３へ電流が流れて第一電磁石１５も励磁されるから、図２（Ａ）のように開弁状態が保持される。
ここでバーナの立ち消えが生じると、コイル１３への熱起電力の低下によって第一電磁石１５の励磁が解かれるから、可動鉄心１７は可動片２１を吸着したまま圧縮スプリング２５の付勢によって弁軸２３、弁体２４と共に図２（Ｂ）の位置へ移動し、ガスの供給を遮断する。一方鍋底温度が上昇してＰＴＣサーミスタ６が設定温度に達すると、電気抵抗値が急増してコイル１９への通電量が減少し、第二電磁石２０の励磁が解かれるから、可動鉄心１７は可動片２１を固定鉄心１４側に残して、図２（Ｃ）のように弁軸２３、弁体２４と共に圧縮スプリング２５の付勢によって閉弁位置へ復帰し、ガスの供給を遮断するものとなる。
そして上記立ち消えや鍋底温度上昇以外に、地震や物の落下等により、テーブルこんろへ振動が加えられると、前記感震スイッチ８がＯＦＦ作動して通電制御回路４での通電が停止し、コイル１９による第二電磁石２０の励磁が解かれるから、同様に弁体２４は図２（Ｃ）のように閉弁位置へ復帰して、ガスの供給が遮断される。よって地震等においても、直ちにバーナの燃焼は停止、或は感震スイッチ８のリセット操作をしない限り、点火操作してもマグネット電磁弁１の吸着開弁保持がされないこととなり、燃焼中のバーナ上に物が落下したりしても、引火の危険は解消される。
特に本実施例では、改良した１本体２電磁石型のマグネット電磁弁１を採用したことで、１つのマグネット電磁弁で、立ち消えと鍋底温度上昇、そして振動検知と、３つの場合全てに対処でき、設計変更の少ない、簡単で低コストの安全装置が構成できる。
【０００９】
【発明の効果】
以上本発明によれば、地震等により、物の落下や、テーブルこんろ自体の落下や転倒等があっても、直ちにガスの供給を遮断して消火され或は点火不能な状態となるから、引火や火災の危険がなく、安全が保たれる。特に電源を備えた通電制御回路に感震スイッチを接続したから、スイッチの接触抵抗の影響がなく、耐久性、安定性の低下が生じにくくなる。
又電磁弁を上記１本体２電磁石型のものを採用して通電制御回路に感震スイッチを接続する形態としているので、１つの電磁弁でも、振動検知に加えて複数の安全機能を少ない設計変更で簡単に付与でき、より低コストとなる。
更にこれらの通電制御回路に前記ＰＴＣサーミスタを接続しているので、立ち消え検知、鍋底温度検知、そして地震等の振動検知と最大３つの安全機能を、簡単且つ低コストで付与することができる。
【図面の簡単な説明】
【図１】テーブルこんろの安全装置の説明図である
【図２】（Ａ）マグネット電磁弁の説明図である。
（Ｂ）マグネット電磁弁の説明図である。
（Ｃ）マグネット電磁弁の説明図である。
【符号の説明】
１・・マグネット電磁弁、２・・熱電対、３・・熱電対回路、４・・通電制御回路、５・・乾電池、６・・ＰＴＣサーミスタ、７・・スイッチ、８・・感震スイッチ、１３・・コイル、１５・・第一電磁石、１９・・コイル、２０・・第二電磁石、２４・・弁体。
【図１】
0003629619.tif 000002
【図２】
0003629619.tif 000003